(57)【特許請求の範囲】
【請求項１】
有底筒状の本体部と、
前記本体部に嵌合可能な蓋部と、を備えた組み立て式腰掛け用の補助具であって、
前記本体部と前記蓋部との間にソフトカバーの複数の本を挟み込んだ状態で用いられ、
前記本体部の筒の内側は、前記複数の本の下端を抱え込む機能を有しており、
前記蓋部の縁には、下方へ延びる立ち壁部が形成されており、
前記立ち壁部は、その内側に、前記複数の本の上端を抱え込む機能を有していることを特徴とする組み立て式腰掛け用の補助具。
【請求項２】
前記本体部と前記蓋部との間にソフトカバーの複数の本を挟み込んだ状態で、
前記複数の本のそれぞれは、上方からみたときに、円弧状をなすとともに、
前記複数の本は、放射状に配されて、全体として渦形状となるように、前記本体部及び前記蓋部のサイズが調整されていることを特徴とする請求項１に記載の組み立て式腰掛け用の補助具。
【請求項３】
前記本体部及び／又は前記蓋部には、前記複数の本と接触する部分に、滑り止め部材が配されていることを特徴とする請求項１又は２に記載の組み立て式腰掛け用の補助具。
【請求項４】
前記蓋部の上面には、クッション材が配されていることを特徴とする請求項１乃至３のいずれか一項に記載の組み立て式腰掛け用の補助具。
【請求項５】
前記本体部及び／又は前記蓋部には、可撓性部材が基材として用いられていることを特徴とする請求項１乃至４のいずれか一項に記載の組み立て式腰掛け用の補助具。
【請求項６】
組み立て式腰掛けであって、
有底筒状の本体部と、
前記本体部に嵌合可能な蓋部と、を備え、
前記本体部と前記蓋部との間にソフトカバーの複数の本が挟み込まれており、
前記本体部の筒の内側は、前記複数の本の下端を抱え込む機能を有しており、
前記蓋部の縁には、下方へ延びる立ち壁部が形成されており、
前記立ち壁部は、その内側に、前記複数の本の上端を抱え込む機能を有していることを特徴とする組み立て式腰掛け。
【請求項７】
前記本体部と前記蓋部との間にソフトカバーの複数の本を挟み込んだ状態で、
前記複数の本のそれぞれは、上方からみたときに、円弧状をなすとともに、
前記複数の本は、放射状に配されて、全体として渦形状となるように、前記本体部及び前記蓋部のサイズが調整されていることを特徴とする請求項６に記載の組み立て式腰掛け。
【請求項８】
前記本体部及び／又は前記蓋部には、前記複数の本と接触する部分に、滑り止め部材が配されていることを特徴とする請求項６又は７に記載の組み立て式腰掛け。
【請求項９】
前記蓋部の上面には、クッション材が配されていることを特徴とする請求項１乃至３のいずれか一項に記載の組み立て式腰掛け。
【請求項１０】
前記本体部及び／又は前記蓋部には、可撓性部材が基材として用いられていることを特徴とする請求項６乃至９のいずれか一項に記載の組み立て式腰掛け。
【発明の詳細な説明】
【技術分野】
【０００１】
本発明は、組み立て式腰掛け用の補助具、及び組み立て式腰掛けに関する。
【背景技術】
【０００２】
組み立て式腰掛けとしては、種々のものが知られている。例えば、金属製のパイプ及び樹脂シートを用いた折畳み可能な小型の折畳み椅子が良く知られている。
【０００３】
また、箱形の収納用腰掛体と、筒形の脚体を用いた腰掛けも知られている（例えば、特許文献１参照）。
ところで、腰掛けは、単に座るためのものであるという機能のみが求められているわけではない。腰掛けは、インテリアの一部をなすものであるから、デザイン性が高いものが求められているのが現状である。
【先行技術文献】
【特許文献】
【０００４】
【特許文献１】特開２００１−３７５８６公報
【発明の概要】
【発明が解決しようとする課題】
【０００５】
本発明は、上記現状に鑑みてなされたものであり、デザイン性が高い腰掛けを作製するための補助具、及びデザイン性が高い腰掛けを提供することを目的とする。
【課題を解決するための手段】
【０００６】
上記問題を解決するために、請求項１に記載の発明は、
有底筒状の本体部と、
前記本体部に嵌合可能な蓋部と、を備えた組み立て式腰掛け用の補助具であって、
前記本体部と前記蓋部との間にソフトカバーの複数の本を挟み込んだ状態で用いられ、
前記本体部の筒の内側は、前記複数の本の下端を抱え込む機能を有しており、
前記蓋部の縁には、下方へ延びる立ち壁部が形成されており、
前記立ち壁部は、その内側に、前記複数の本の上端を抱え込む機能を有していることを特徴とする組み立て式腰掛け用の補助具である。
【０００７】
請求項２に記載の発明は、
前記本体部と前記蓋部との間にソフトカバーの複数の本を挟み込んだ状態で、
前記複数の本のそれぞれは、上方からみたときに、円弧状をなすとともに、
前記複数の本は、放射状に配されて、全体として渦形状となるように、前記本体部及び前記蓋部のサイズが調整されていることを特徴とする請求項１に記載の組み立て式腰掛け用の補助具である。
【０００８】
請求項３に記載の発明は、
前記本体部及び／又は前記蓋部には、前記複数の本と接触する部分に、滑り止め部材が配されていることを特徴とする請求項１又は２に記載の組み立て式腰掛け用の補助具である。
【０００９】
請求項４に記載の発明は、
前記蓋部の上面には、クッション材が配されていることを特徴とする請求項１乃至３のいずれか一項に記載の組み立て式腰掛け用の補助具である。
【００１０】
請求項５に記載の発明は、
前記本体部及び／又は前記蓋部には、可撓性部材が基材として用いられていることを特徴とする請求項１乃至４のいずれか一項に記載の組み立て式腰掛け用の補助具である。
【００１１】
請求項６に記載の発明は、
組み立て式腰掛けであって、
有底筒状の本体部と、
前記本体部に嵌合可能な蓋部と、を備え、
前記本体部と前記蓋部との間にソフトカバーの複数の本が挟み込まれており、
前記本体部の筒の内側は、前記複数の本の下端を抱え込む機能を有しており、
前記蓋部の縁には、下方へ延びる立ち壁部が形成されており、
前記立ち壁部は、その内側に、前記複数の本の上端を抱え込む機能を有していることを特徴とする組み立て式腰掛けである。
【００１２】
請求項７に記載の発明は、
前記本体部と前記蓋部との間にソフトカバーの複数の本を挟み込んだ状態で、
前記複数の本のそれぞれは、上方からみたときに、円弧状をなすとともに、
前記複数の本は、放射状に配されて、全体として渦形状となるように、前記本体部及び前記蓋部のサイズが調整されていることを特徴とする請求項６に記載の組み立て式腰掛けである。
【００１３】
請求項８に記載の発明は、
前記本体部及び／又は前記蓋部には、前記複数の本と接触する部分に、滑り止め部材が配されていることを特徴とする請求項６又は７に記載の組み立て式腰掛けである。
【００１４】
請求項９に記載の発明は、
前記蓋部の上面には、クッション材が配されていることを特徴とする請求項１乃至３のいずれか一項に記載の組み立て式腰掛けである。
【００１５】
請求項１０に記載の発明は、
前記本体部及び／又は前記蓋部には、可撓性部材が基材として用いられていることを特徴とする請求項６乃至９のいずれか一項に記載の組み立て式腰掛けである。
【発明の効果】
【００１６】
本発明の組み立て式腰掛け用の補助具は、有底筒状の本体部と、本体部に嵌合可能な蓋部と、を備えた組み立て式腰掛け用の補助具である。
そして、補助具は、本体部と蓋部との間にソフトカバーの複数の本を挟み込んだ状態で用いられる。本体部の筒の内側は、複数の本の下端を抱え込む機能を有している。蓋部の縁には、下方へ延びる立ち壁部が形成されており、立ち壁部は、その内側に、複数の本の上端を抱え込む機能を有している。
本発明の組み立て式腰掛け用の補助具によれば、本体部と蓋部との間にソフトカバーの複数の本を挟み込んだ状態で用いられる。よって、腰掛けの使用状態において、本の表紙が見えるから、デザイン性が高い。
【００１７】
本体部と蓋部との間にソフトカバーの複数の本を挟み込んだ状態で、本体部及び蓋部のサイズが次のように調整されている場合には、以下の効果を有する。すなわち、複数の本のそれぞれは、上方からみたときに、円弧状をなすとともに、複数の本は、放射状に配されて、全体として渦形状となるように、本体部及び蓋部のサイズが調整されている場合には、以下の効果を有する。
この場合には、複数の本は、放射状に配されて、全体として渦形状とされているので、流れるようなデザインになるので斬新である。
また、この場合には、複数の本は、放射状に配されて、全体として渦形状とされるので、複数の本の束が纏まりを持ち、腰掛けの強度的な安定性を向上させることができる。
【００１８】
また、本体部及び／又は蓋部には、複数の本と接触する部分に、滑り止め部材が配されている場合には、複数の本の束の纏まりが、崩れることを防止できる。
【００１９】
また、蓋部の上面には、クッション材が配されている場合には、座り心地が向上する。
【００２０】
また、本体部及び／又は蓋部には、可撓性部材が基材として用いられている場合には、以下の効果を有する。
複数の本の束が纏まりの形状に沿うように、本体部及び／又は蓋部が変形できるから、複数の本の束の纏まりが、崩れることをより防止できる。
【００２１】
本発明の組み立て式腰掛けは、有底筒状の本体部と、本体部に嵌合可能な蓋部と、を備える。
そして、補助具は、本体部と蓋部との間にソフトカバーの複数の本を挟み込まれている。本体部の筒の内側は、複数の本の下端を抱え込む機能を有している。蓋部の縁には、下方へ延びる立ち壁部が形成されており、立ち壁部は、その内側に、複数の本の上端を抱え込む機能を有している。
本発明の組み立て式腰掛けによれば、本体部と蓋部との間にソフトカバーの複数の本を挟み込まれている。よって、腰掛けの側面に、本の表紙が見えるから、デザイン性が高い。
【００２２】
本体部と蓋部との間にソフトカバーの複数の本を挟み込んだ状態で、本体部及び蓋部のサイズが次のように調整されている場合には、以下の効果を有する。すなわち、複数の本のそれぞれは、上方からみたときに、円弧状をなすとともに、複数の本は、放射状に配されて、全体として渦形状となるように、本体部及び蓋部のサイズが調整されている場合には、以下の効果を有する。
この場合には、複数の本は、放射状に配されて、全体として渦形状とされているので、流れるようなデザインになるので斬新である。
また、この場合には、複数の本は、放射状に配されて、全体として渦形状とされるので、複数の本の束が纏まりを持ち、腰掛けの強度的な安定性を向上させることができる。
【００２３】
また、本体部及び／又は蓋部には、複数の本と接触する部分に、滑り止め部材が配されている場合には、複数の本の束の纏まりが、崩れることを防止できる。
【００２４】
また、蓋部の上面には、クッション材が配されている場合には、座り心地が向上する。
【００２５】
また、本体部及び／又は蓋部には、可撓性部材が基材として用いられている場合には、以下の効果を有する。
複数の本の束が纏まりの形状に沿うように、本体部及び／又は蓋部が変形できるから、複数の本の束の纏まりが、崩れることをより防止できる。
【図面の簡単な説明】
【００２６】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係る組み立て式腰掛け用の補助具を用いた腰掛けを示す図（斜視図）である。
【図２】実施例に係る組み立て式腰掛け用の補助具を用いた腰掛けを示す図（分解斜視図）である。
【図３】実施例に係る組み立て式腰掛け用の補助具を示す図（斜視図）である。
【図４】実施例に係る組み立て式腰掛け用の補助具を示す図（分解斜視図）である。
【図５】実施例に係る組み立て式腰掛け用の補助具を用いた腰掛けの作製を説明するため図である。
【図６】実施例に係る本体部を説明するための図である。
【図７】実施例に係る蓋部を説明するための図である。
【図８】実施例に係る組み立て式腰掛け用の補助具の作用効果を説明するための図である。
【図９】他の実施形態に係る組み立て式腰掛け用の補助具を説明するための図である。
【発明を実施するための形態】
【００２７】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００２８】
〔１〕組み立て式腰掛け用の補助具
本実施形態に係る組み立て式腰掛け用の補助具（１）は、有底筒状の本体部（３）と、本体部（３）に嵌合可能な蓋部（５）と、を備えた組み立て式腰掛け用の補助具である。
そして、補助具（１）は、本体部（３）と蓋部（５）との間にソフトカバーの複数の本（７）を挟み込んだ状態で用いられる。本体部（３）の筒の内側は、複数の本（７）の下端（７Ａ）を抱え込む機能を有している。蓋部（５）の縁には、下方へ延びる立ち壁部（５Ａ）が形成されており、立ち壁部（５Ａ）は、その内側に、複数の本（７）の上端（７Ｂ）を抱え込む機能を有している。
【００２９】
本体部（３）の基材は、特に限定されず、適宜選択できる。例えば、可撓性部材を基材として用いることができる。可撓性部材としては、例えば、紙製の部材、樹脂部材等を用いることができる。
蓋部（５）の基材は、特に限定されず、適宜選択できる。例えば、可撓性部材を基材として用いることができる。可撓性部材としては、例えば、紙製の部材、樹脂部材等を用いることができる。
【００３０】
本体部（３）や蓋部（５）は、表皮材で覆っていてもよい。表皮材としては、特に限定されず、適宜選択できる。例えば、織布、不織布、樹脂フィルム等を用いることができる。表皮材で覆うことにより、意匠性を向上させることができる。
【００３１】
ソフトカバーの本としては、特に限定されないが、例えば、雑誌を挙げることができる。本の数は、複数であれば、特に限定されない。例えば、２〜２０冊であることが好ましく、好ましくは、３〜１０冊であり、より好ましくは、５〜９である。
本のサイズは、特に限定されない。例えば、高さ１００ｍｍ〜４００ｍｍ、幅１００ｍｍ〜３００ｍｍ、厚み５ｍｍ〜３０ｍｍとすることができ、好ましくは、高さ１５０ｍｍ〜３５０ｍｍ、幅１５０ｍｍ〜２７０ｍｍ、厚み７ｍｍ〜２０ｍｍであり、より好ましくは、高さ２５０ｍｍ〜３２０ｍｍ、幅２００ｍｍ〜２５０ｍｍ、厚み１０ｍｍ〜１７ｍｍである。
【００３２】
本体部（３）の内径は、特に限定されないが、例えば、１０．０ｍｍ〜３０．０ｍｍとすることができ、好ましくは１５．０ｍｍ〜２５．０ｍｍであり、より好ましくは１８．０ｍｍ〜２２．０ｍｍである。
【００３３】
蓋部（５）の内径は、特に限定されないが、例えば、１０．６ｍｍ〜３０．６ｍｍとすることができ、好ましくは１５．６ｍｍ〜２５．６ｍｍであり、より好ましくは１８．６ｍｍ〜２２．６ｍｍである。
【００３４】
本の数を５〜１０冊とし、本のサイズを高さ２５０ｍｍ〜３２０ｍｍ、幅２００ｍｍ〜２５０ｍｍ、厚み１０ｍｍ〜１７ｍｍとし、本体部（３）の内径を１８．０ｍｍ〜２２．０ｍｍとし、蓋部（５）の内径を１５．６ｍｍ〜２５．６ｍｍとすると、以下のようになる。すなわち、この場合には、複数の本のそれぞれは、上方からみたときに、円弧状をなすとともに、複数の本は、放射状に配されて、全体として渦形状となる。よって、意匠性が向上する。さらに、この場合には、複数の本は、放射状に配されて、全体として渦形状とされるので、複数の本の束が纏まりを持ち、腰掛けの強度的な安定性を向上させることができる。
【００３５】
本体部（３）及び／又は蓋部（５）において、複数の本と接触する部分に配される場合がある滑り止め部材（９）としては、特に限定されず、適宜選択できる。例えば、ラバー、ゴムシート等のゴム系弾性体が例示される。その他クラフト紙等の紙やフィルム、布などの基材シートの上面に軟らかい樹脂層を形成したものであってもよい。また、基材シートの上面に散点状（ドット状）、網目状又は筋状にゴムや軟質樹脂を付着させたものであってもよい。不織布の上面に軟らかい樹脂層を形成したものであってもよい。
なお、滑り止め部材（９）は、本体部（３）や蓋部（５）に固定されていてもよいし、本体部（３）や蓋部（５）と分離していてもよい。
滑り止め部材（９）によって、複数の本（７）の束の纏まりが、崩れることを防止できる。
【００３６】
本実施形態の組み立て式腰掛け用の補助具（１）によれば、本体部（３）と蓋部（５）との間にソフトカバーの複数の本（７）を挟み込んだ状態で用いられる。よって、腰掛け（１１）の使用状態において、本（７）の表紙が見えるから、デザイン性が高い。
【００３７】
本実施形態では、複数の本（７）は、放射状に配されて、全体として渦形状とされているので、流れるようなデザインになるので斬新である。
また、この場合には、複数の本（７）は、放射状に配されて、全体として渦形状とされるので、複数の本（７）の束が纏まりを持ち、腰掛け（１１）の強度的な安定性を向上させることができる。
【００３８】
また、滑り止め部材（９）が配されている場合には、複数の本（７）の束の纏まりが、崩れることを防止できる。
【００３９】
また、蓋部（５）の上面には、クッション材が配されている場合には、座り心地が向上する。
【００４０】
また、本体部（３）及び／又は蓋部（５）には、可撓性部材が基材として用いられている場合には、以下の効果を有する。
複数の本（７）の束が纏まりの形状に沿うように、本体部（３）及び／又は蓋部（５）が変形できるから、複数の本（７）の束の纏まりが、崩れることをより防止できる。
【００４１】
〔２〕組み立て式腰掛け
本実施形態に係る組み立て式腰掛け（１１）は、有底筒状の本体部（３）と、本体部（３）に嵌合可能な蓋部（５）と、を備える。
そして、本体部（３）と蓋部（５）との間にソフトカバーの複数の本（７）が挟み込まれている。本体部（３）の筒の内側は、複数の本（７）の下端（７Ａ）を抱え込む機能を有している。蓋部（５）の縁には、下方へ延びる立ち壁部（５Ａ）が形成されており、立ち壁部（５Ａ）は、その内側に、複数の本（７）の上端（７Ｂ）を抱え込む機能を有している。
【００４２】
「本体部（３）」、「蓋部（５）」、「本（７）」、「滑り止め部材（９）」については、〔１〕組み立て式腰掛け用の補助具の欄での説明をそのまま適用することができる。
本実施形態の組み立て式腰掛け（１１）によれば、本体部（３）と蓋部（５）との間にソフトカバーの複数の本（７）を挟み込まれている。よって、腰掛け（１１）の側面に、本（７）の表紙が見えるから、デザイン性が高い。
【００４３】
なお、上記実施形態で記載した各構成の括弧内の符号は、後述する実施例に記載の具体的構成との対応関係を示すものである。
【実施例】
【００４４】
以下、図面を参照して実施例により本発明をより具体的に説明する。
（１）組み立て式腰掛け用の補助具の構成
本実施例に係る組み立て式腰掛け用の補助具１は、有底円筒状の本体部３と、本体部３に嵌合可能な蓋部５と、を備える。
本体部３、及び蓋部５は、共に紙製の基材が布で覆われた状態とされている。布には、模様が施されていている。
補助具１は、図１に示すように、本体部３と蓋部５との間にソフトカバーの複数の本７を挟み込んだ状態で用いられる。図１及び図２に示すように、本体部３の筒の内側は、例えば、７冊の本７（雑誌）の下端７Ａを抱え込む機能を有している。図２に示すように、蓋部５の縁には、下方へ延びる立ち壁部５Ａが形成されている。立ち壁部５Ａは円筒状をなし、本体部３と嵌合可能とされている。図１及び図２に示すように、立ち壁部５Ａは、その内側に、本７の上端７Ｂを抱え込む機能を有している。
【００４５】
（２）組み立て式腰掛け用の補助具を用いた腰掛けの作製
組み立て式腰掛け用の補助具１は、使用しないときには、図３に示すように、本体部３に、蓋部５を嵌めて収納されている。
組み立て式腰掛け用の補助具１の使用に際して、まず、図４に示すように、蓋部５を本体部３から外す。
そして、本体部３を床等に設置する。この状態で、図５に示すように、本体部３に対して、複数の本７を放射状に配して、全体として渦形状とする。この際、本７は、背表紙が外側となるように、配置する。
その後、複数の本７の上方から、蓋部５を嵌めて、組み立て式腰掛け１１が完成する（図１参照）。
なお、図６に示すように、本体部３と、本７の間には、滑り止め部材９が配される。同様に、図７に示すように、蓋部５と、本７の間には、滑り止め部材９が配される。
【００４６】
（３）組み立て式腰掛け用の補助具１の作用効果
次に上記構成の組み立て式腰掛け用の補助具１の作用について説明する。
本実施例に係る組み立て式腰掛け用の補助具１を用いると、デザイン性の高い腰掛け１１を簡単に組み立てることができる。
また、組み立て式腰掛け用の補助具１は、使用しないときには、本体部３に、蓋部５を嵌めることができるのでコンパクトに収納できる。そして、この組み立て式腰掛け用の補助具１は、小物入れとしても利用できる。
また、本７のサイズを変更することにより、腰掛け１１の高さを容易に調整できる。
また、本７の種類を変更することにより、腰掛け１１のデザインを容易に変更することができる。
【００４７】
（４）組み立て式腰掛け１１の作用効果
腰掛け１１は、側面に、本７の表紙が見えるから、デザイン性が高い。
また、本７は、背表紙が外側となるように、配置されている。このような配置とされていると、背表紙が内側となるように、配置されている場合よりも、本７の束が崩れにくくなり、腰掛け１１の安定性が向上する。
また、本７は、背表紙が外側となるように、配置されているので、背表紙に記載された文字等を見ることができるから、デザイン性も高くなる。
【００４８】
また、本７の束は、放射状で、全体として渦形状となっている。このような本７の束では、本７は曲げられた状態にあるが、その状態から曲げられていない元の状態に戻ろうとする力が働く。この力は、本７の束を外へと広げようとする力となる。本実施例の腰掛け１１では、本７の束の下端が、本体部３の筒の内側に抱え込まれるような状態で保たれ、本７の束の上端が、蓋部５の立ち壁部５Ａに抱え込まれるような状態で保たれている。そして、本７の束を外へと広げようとする力によって、本７の束は、本体部３の筒の内側及び蓋部５の立ち壁部５Ａに押しつけられるから、本７の束と、本体部３及び蓋部５との結束が強くなり、腰掛け１１としての安定性が増す。
【００４９】
図８に示すように、本７の束は、その外観が渦巻き状となるが、外周は完全な円とはならず、略多角形状となる。この場合に、本体部３、及び蓋部５は、共に紙製の基材を用いているから、本体部３、及び蓋部５は、少し変形して、本７の束の外周に沿う形となる。よって、本７の束と、本体部３及び蓋部５との組み付きが強くなり、腰掛け１１としての安定性が増す。
【００５０】
尚、本発明においては、上記実施例に限られず、目的、用途に応じて本発明の範囲内で種々変更した実施例とすることができる。
【００５１】
上記実施例では、本体部３、及び蓋部５は、共に紙製の基材を用いた場合を示したが、基材は特に限定されない。例えば、少なくとも一方を樹脂製としてもよい。
【００５２】
上記実施例では、本体部３、及び蓋部５は、共に布で覆われた状態とされたものを示したが、布で覆われた形態に限定されない。例えば、基材が露出しているものであってもよい。
【００５３】
また、上記実施例では、滑り止め部材９が配されている例を示したが、これに限定されず、例えば、滑り止め部材を配さないようにしてもよい。この場合、より簡易な構成とすることができる。
【００５４】
また、本発明においては、例えば、図９に示すように、蓋部５の上面に、クッション材５Ｂを設ける形態としてもよい。この場合、クッション材５Ｂを座面とすることで、腰掛けとして利用したときの座り心地が向上する。
【００５５】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００５６】
本発明は上記で詳述した実施形態に限定されず、本発明の請求項に示した範囲で様々な変形または変更が可能である。
【産業上の利用可能性】
【００５７】
組み立て式腰掛けに関する技術として広く利用される。
【符号の説明】
【００５８】
１；組み立て式腰掛け用の補助具
３；本体部
５；蓋部
５Ａ；立ち壁部
５Ｂ；クッション材
７；本
７Ａ；下端
７Ｂ；上端
９；滑り止め部材
１１；（組み立て式）腰掛け
【図１】
0006596299.tif 000002
【図２】
0006596299.tif 000003
【図３】
0006596299.tif 000004
【図４】
0006596299.tif 000005
【図５】
0006596299.tif 000006
【図６】
0006596299.tif 000007
【図７】
0006596299.tif 000008
【図８】
0006596299.tif 000009
【図９】
0006596299.tif 000010